【手続補正書】
【提出日】平成17年10月12日(2005.10.12)
【手続補正１】
【補正対象書類名】明細書
【補正対象項目名】特許請求の範囲
【補正方法】変更
【補正の内容】
【特許請求の範囲】
【請求項１】  遊技領域へ発射された遊技球を導入可能な導入部と、
この導入部から下方へ向けて配され内部には前記導入部へ導入された遊技球を案内可能な案内通路とを備えてなる遊技機であって、
前記案内通路の側方には、内部に気体が封入された透明容器を有し同容器の一部が実質的に接地されたときにこの接地部位へ向けて放電極からの放電が可能に構成されたプラズマ管が配され、
かつ前記案内通路の一縁には同縁に沿って前記容器の外面が対向し、前記案内通路中を通過する遊技球と前記容器の外面とが接触あるいは近接可能となるようにしてあるとともに、前記案内通路にはこの案内通路内を通過する遊技球を介して前記容器の外面を実質的に接地可能とするアース部が設けられることで、前記遊技球の通過に伴って前記接地部位が移動可能となっていることを特徴とする遊技機。
【請求項２】  前記案内通路には、前記遊技球の落下速度を減速する減速手段が設けられていることを特徴とする請求項１記載の遊技機。
【請求項３】  前記減速手段は、前記案内通路面に設けられた突起であることを特徴とする請求項２記載の遊技機。
【請求項４】  前記突起は前記案内通路内において、幅方向に対向する両内面に上下方向に沿って千鳥配置となっていることを特徴とする請求項３記載の遊技機。
【請求項５】  前記案内通路に対向する前記容器の前記外面には樹脂壁が設けられ、この樹脂壁には前記遊技球の径よりも小なる溝幅をもって開口する切り欠き溝が上下方向に設けられ、この切り欠き溝に前記遊技球の一部を落とし込ませることを特徴とする請求項１乃至請求項４いずれかに記載の遊技機。
【請求項６】  前記切り欠き溝が遊技板の手前側及び奥側方向への振幅をもって蛇行するように形成されていることを特徴とする請求項５記載の遊技機。
【請求項７】  前記案内通路は、その導入部寄りの所定範囲に外部から視認不能な不透明領域を有しており、この不透明領域内には同領域を通過する遊技球によって前記プラズマ管に対するオンオフを行う給電用スイッチが配されていることを特徴とする請求項１乃至請求項６のいずれかに記載の遊技機。
【請求項８】  駆動手段によって回転する回転体を備えるとともに、この回転体には遊技球を保持可能な切り欠き凹部が外方に向かって開口して形成されてなるものにおいて、
前記案内通路は、前記遊技球が前記切り欠き凹部に保持されたまま前記プラズマ管の前記外面に遊技球を接触又は近接した状態で、前記プラズマ管の前記外面に沿うようにして回動したときの遊技球の回動軌跡によって形成されることを特徴とする請求項１乃至請求項７のいずれかに記載の遊技機。
【手続補正２】
【補正対象書類名】明細書
【補正対象項目名】００１３
【補正方法】削除
【補正の内容】
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】変更
【補正の内容】
【００１７】
請求項２の発明は、請求項１記載のものにおいて、前記遊技球の落下速度を減速する減速手段が設けられていることを特徴とする。
請求項２の発明によれば、案内通路を通過する遊技球の落下速度が緩やかになるから、遊技者は減速手段が設けられていない場合と比較して、遊技球の落下と連動した放電光による発光を長時間見られることになり、その結果ゲームの楽しさが増加する。
【手続補正７】
【補正対象書類名】明細書
【補正対象項目名】００１８
【補正方法】変更
【補正の内容】
【００１８】
請求項３の発明は、請求項２記載のものにおいて、減速手段は、前記案内通路面に設けられた突起であることを特徴とするものである。
請求項３の発明によれば、案内通路を通過する遊技球が突起に衝突しつつ落下していくから、簡単な構造で遊技球の落下速度を確実に緩やかにすることができる。
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】変更
【補正の内容】
【００２５】
請求項４の発明は、請求項３記載のものにおいて、前記突起は前記案内通路内において、幅方向に対向する両内面に上下方向に沿って千鳥配置となっていることを特徴とする。
請求項４の発明によれば、遊技球が両内面の突起に衝突しながら落下していくため、案内通路を通過する遊技球を効率的に減速できる。
【手続補正１５】
【補正対象書類名】明細書
【補正対象項目名】００２６
【補正方法】変更
【補正の内容】
【００２６】
請求項５の発明は、請求項１乃至請求項４いずれかに記載のものにおいて、前記案内通路に対向する前記容器の前記外面には樹脂壁が設けられ、この樹脂壁には前記遊技球の径よりも小なる溝幅をもって開口する切り欠き溝が上下方向に設けられ、この切り欠き溝に前記遊技球の一部を落とし込ませることを特徴とする。
請求項５の発明によれば、樹脂壁によって遊技球の衝突による衝撃を和らげることができるとともに、切り欠き溝に遊技球の一部を落とし込ませた分、遊技玉をプラズマ管に近づけることができるため放電光が集まりやすくなる。
【手続補正１６】
【補正対象書類名】明細書
【補正対象項目名】００２７
【補正方法】変更
【補正の内容】
【００２７】
請求項６の発明は、請求項５記載のものにおいて、前記切り欠き溝が遊技板の手前側及び奥側方向への振幅をもって蛇行するように形成されていることを特徴とする。
請求項６の発明によれば、接地部位が手前側と奥側方向へ変位するから、放電光が手前側と奥側方向へ揺れて、放電光の変化の仕方に奥行き感を与えることができる。
【手続補正１７】
【補正対象書類名】明細書
【補正対象項目名】００２８
【補正方法】変更
【補正の内容】
【００２８】
請求項７の発明は、請求項１乃至請求項６のいずれかに記載のものにおいて、前記案内通路は、その導入部寄りの所定範囲に外部から視認不能な不透明領域を有しており、この不透明領域内には同領域を通過する遊技球によって前記プラズマ管に対するオンオフを行う給電用スイッチが配されていることを特徴とする。
一般に、遊技機には、いわゆるワープゾーンが採用されている。このワープゾーンでは、通常、案内通路内に案内された遊技球が、案内通路を通過して、ステージに出現するまでの間、遊技者は案内通路内に遊技球が入っていることを確認することができない。しかし、請求項７の発明によれば、案内通路内に遊技球が進入したことを、プラズマ管の点灯又は消灯により容易に判断することができる。
【手続補正１８】
【補正対象書類名】明細書
【補正対象項目名】００２９
【補正方法】変更
【補正の内容】
【００２９】
請求項８の発明は、請求項１乃至請求項７のいずれかに記載のものにおいて、駆動手段によって回転する回転体を備えるとともに、この回転体には遊技球を保持可能な切り欠き凹部が外方に向かって開口して形成されてなるものにおいて、前記案内通路は、前記遊技球が前記切り欠き凹部に保持されたまま前記プラズマ管の前記外面に遊技球を接触又は近接した状態で、前記プラズマ管の前記外面に沿うようにして回動したときの遊技球の回動軌跡によって形成されることを特徴とする。
請求項８の発明によれば、駆動手段により回転する回転体によって、遊技球がプラズマ管の外面を通過する速度を調節することができる。よって、プラズマ管の外面を通過する速度を緩やかにすることができるから、遊技者は、遊技球の移動と連動した放電光による発光を長時間見られることになり、その結果ゲームの楽しさが増加する。